【手続補正書】
【提出日】平成25年1月10日(2013.1.10)
【手続補正１】
【補正対象書類名】明細書
【補正対象項目名】０１４２
【補正方法】変更
【補正の内容】
【０１４２】
好ましい態様を具体的に参照しながら本発明を詳細に説明してきたが、本発明の思想及び範囲の中で変更及び改変を加え得ることは言うまでもない。
以下もまた開示される。
［１］  （ａ）  （ｉ）  テレフタル酸、イソフタル酸、又はその両方の残基を含むジカルボン酸部分；及び
（ｉｉ）  ５〜１００モルパーセントの２，２，４，４−テトラメチル−１，３−シクロブタンジオール残基及び０〜９５モルパーセントの１，４−シクロヘキサンジメタノール残基を含むグリコール部分
を含む５〜９５重量パーセントのポリエステル（Ａ）；並びに
（ｂ）  ポリアルキレンテレフタレートを含む５〜９５重量パーセントのポリエステル（Ｂ）
を含んで成るポリエステルブレンドであって、
ポリエステル（Ａ）及びポリエステル（Ｂ）のそれぞれの場合において、該ジカルボン酸部分の総モル％は１００モル％であり、そして該グリコール部分の総モル％は１００モル％であり；そして
該ブレンドの総重量パーセンテージは、１００重量パーセントに等しい、ポリエステルブレンド。
［２］  ポリエステル（Ａ）のジカルボン酸部分が、１００モルパーセントのテレフタル酸残基を含み、そしてポリエステル（Ａ）のグリコール部分が、５〜７０モルパーセントの２，２，４，４−テトラメチル−１，３−シクロブタンジオール残基及び３０〜９５モルパーセントの１，４−シクロヘキサンジメタノール残基を含む、上記［１］に記載のポリエステルブレンド。
［３］  ポリエステル（Ａ）のグリコール成分が、５〜５０モルパーセントの２，２，４，４−テトラメチル−１，３−シクロブタンジオール残基及び５０〜９５モルパーセントの１，４−シクロヘキサンジメタノール残基を含む、上記［１］に記載のポリエステルブレンド。
［４］  ポリエステル（Ａ）のグリコール成分が、１５〜５０モルパーセントの２，２，４，４−テトラメチル−１，３−シクロブタンジオール残基及び５０〜８５モルパーセントの１，４−シクロヘキサンジメタノール残基を含む、上記［１］に記載のポリエステルブレンド。
［５］  ポリエステル（Ａ）のグリコール成分が、２０〜４０モルパーセントの２，２，４，４−テトラメチル−１，３−シクロブタンジオール残基及び６０〜８０モルパーセントの１，４−シクロヘキサンジメタノール残基を含む、上記［１］に記載のポリエステルブレンド。
［６］  ポリエステル（Ａ）のジカルボン酸部分が、最大２０モルパーセントの、別の芳香族ジカルボン酸、脂肪族ジカルボン酸、脂環式ジカルボン酸、又はこれらの混合物の残基を含む、上記［１］に記載のポリエステルブレンド。
［７］  ポリエステル（Ａ）のジカルボン酸部分が、７０〜１００モル％のテレフタル酸残基を含む、上記［１］に記載のポリエステルブレンド。
［８］  ポリエステル（Ａ）のグリコール部分が、最大１０モルパーセントの、炭素原子数２〜１６の別のグリコールの残基を含む、上記［１］に記載のポリエステルブレンド。
［９］  ポリエステル（Ｂ）が、ポリエチレンテレフタレート、ポリプロピレンテレフタレート、及びポリブチレンテレフタレートから選択される、上記［１］に記載のポリエステルブレンド。
［１０］  ポリエステル（Ｂ）が、ポリエチレンテレフタレートである、上記［１］に記載のポリエステルブレンド。
［１１］  ポリエステル（Ｂ）が、少なくとも９０モルパーセントのテレフタル酸残基、並びに６５〜１００モルパーセントのエチレングリコール残基及び０〜３５モルパーセントの１，４−シクロヘキサンジメタノール残基を含む、上記［１］に記載のポリエステルブレンド。
［１２］  ポリエステル（Ｂ）が、少なくとも９０モルパーセントのテレフタル酸残基及び少なくとも９０モルパーセントのエチレングリコール残基を含む、上記［１］に記載のポリエステルブレンド。
［１３］  ２０〜８０重量パーセントのポリエステル（Ａ）及び２０〜８０重量パーセントのポリエステル（Ｂ）を含む、上記［１］に記載のポリエステルブレンド。
［１４］  約４５〜８０重量パーセントのポリエステル（Ａ）及び約２０〜５５重量パーセントのポリエステル（Ｂ）を含む、上記［１］に記載のポリエステルブレンド。
［１５］  約１５〜７０重量パーセントのポリエステル（Ａ）及び約３０〜８５重量パーセントのポリエステル（Ｂ）を含む、上記［１］に記載のポリエステルブレンド。
［１６］  約１５〜５０重量パーセントのポリエステル（Ａ）及び約５０〜８５重量パーセントのポリエステル（Ｂ）を含む、上記［１］に記載のポリエステルブレンド。
［１７］  １〜２０重量パーセントの耐衝撃性改良剤及び０〜１重量パーセントのリン安定剤をさらに含む、上記［１］に記載のポリエステルブレンド。
［１８］  １〜１５重量パーセントの耐衝撃性改良剤を含む、上記［１］に記載のポリエステルブレンド。
［１９］  ２〜１０重量パーセントの耐衝撃性改良剤を含む、上記［１］に記載のポリエステルブレンド。
［２０］  該耐衝撃性改良剤が、アクリルコア−シェルポリマー、アクリロニトリル−ブタジエン−スチレンコポリマー、メタクリレート−ブタジエン−スチレンコポリマー、ブチルゴム、機能性エポキシオレフィン、及び改質ポリエチレンから選択される、上記［１７］に記載のポリエステルブレンド。
【手続補正２】
【補正対象書類名】特許請求の範囲
【補正対象項目名】全文
【補正方法】変更
【補正の内容】
【特許請求の範囲】
【請求項１】
（ａ）  （ｉ）  テレフタル酸、イソフタル酸、又はその両方の残基を含むジカルボン酸部分；及び
（ｉｉ）  ５〜５０モルパーセントの２，２，４，４−テトラメチル−１，３−シクロブタンジオール残基及び５０〜９５モルパーセントの１，４−シクロヘキサンジメタノール残基を含むグリコール部分
を含む５〜９５重量パーセントのポリエステル（Ａ）；並びに
（ｂ）  ポリアルキレンテレフタレートを含む５〜９５重量パーセントのポリエステル（Ｂ）
を含んで成るポリエステルブレンドであって、
ポリエステル（Ａ）及びポリエステル（Ｂ）のそれぞれの場合において、該ジカルボン酸部分の総モル％は１００モル％であり、そして該グリコール部分の総モル％は１００モル％であり；そして
該ブレンドの総重量パーセンテージは、１００重量パーセントに等しい、ポリエステルブレンド。
【請求項２】
ポリエステル（Ａ）のグリコール成分が、１５〜５０モルパーセントの２，２，４，４−テトラメチル−１，３−シクロブタンジオール残基及び５０〜８５モルパーセントの１，４−シクロヘキサンジメタノール残基を含む、請求項１に記載のポリエステルブレンド。
【請求項３】
ポリエステル（Ａ）のグリコール成分が、２０〜４０モルパーセントの２，２，４，４−テトラメチル−１，３−シクロブタンジオール残基及び６０〜８０モルパーセントの１，４−シクロヘキサンジメタノール残基を含む、請求項１に記載のポリエステルブレンド。
【請求項４】
ポリエステル（Ａ）のジカルボン酸部分が、最大２０モルパーセントの、別の芳香族ジカルボン酸、脂肪族ジカルボン酸、脂環式ジカルボン酸、又はこれらの混合物の残基を含む、請求項１に記載のポリエステルブレンド。
【請求項５】
ポリエステル（Ａ）のジカルボン酸部分が、７０〜１００モル％のテレフタル酸残基を含む、請求項１に記載のポリエステルブレンド。
【請求項６】
ポリエステル（Ａ）のグリコール部分が、最大１０モルパーセントの、炭素原子数２〜１６の別のグリコールの残基を含む、請求項１に記載のポリエステルブレンド。
【請求項７】
ポリエステル（Ｂ）が、ポリエチレンテレフタレート、ポリプロピレンテレフタレート、及びポリブチレンテレフタレートから選択される、請求項１に記載のポリエステルブレンド。
【請求項８】
ポリエステル（Ｂ）が、ポリエチレンテレフタレートである、請求項１に記載のポリエステルブレンド。
【請求項９】
ポリエステル（Ｂ）が、少なくとも９０モルパーセントのテレフタル酸残基、並びに６５〜１００モルパーセントのエチレングリコール残基及び０〜３５モルパーセントの１，４−シクロヘキサンジメタノール残基を含む、請求項１に記載のポリエステルブレンド。
【請求項１０】
ポリエステル（Ｂ）が、少なくとも９０モルパーセントのテレフタル酸残基及び少なくとも９０モルパーセントのエチレングリコール残基を含む、請求項１に記載のポリエステルブレンド。
【請求項１１】
２０〜８０重量パーセントのポリエステル（Ａ）及び２０〜８０重量パーセントのポリエステル（Ｂ）を含む、請求項１に記載のポリエステルブレンド。
【請求項１２】
約４５〜８０重量パーセントのポリエステル（Ａ）及び約２０〜５５重量パーセントのポリエステル（Ｂ）を含む、請求項１に記載のポリエステルブレンド。
【請求項１３】
約１５〜７０重量パーセントのポリエステル（Ａ）及び約３０〜８５重量パーセントのポリエステル（Ｂ）を含む、請求項１に記載のポリエステルブレンド。
【請求項１４】
約１５〜５０重量パーセントのポリエステル（Ａ）及び約５０〜８５重量パーセントのポリエステル（Ｂ）を含む、請求項１に記載のポリエステルブレンド。
【請求項１５】
１〜２０重量パーセントの耐衝撃性改良剤及び０〜１重量パーセントのリン安定剤をさらに含む、請求項１に記載のポリエステルブレンド。
【請求項１６】
１〜１５重量パーセントの耐衝撃性改良剤を含む、請求項１に記載のポリエステルブレンド。
【請求項１７】
２〜１０重量パーセントの耐衝撃性改良剤を含む、請求項１に記載のポリエステルブレンド。
【請求項１８】
該耐衝撃性改良剤が、アクリルコア−シェルポリマー、アクリロニトリル−ブタジエン−スチレンコポリマー、メタクリレート−ブタジエン−スチレンコポリマー、ブチルゴム、機能性エポキシオレフィン、及び改質ポリエチレンから選択される、請求項１５に記載のポリエステルブレンド。